(57)【要約】【課題】  初めて、フライイングディスクを使用する場合、全く興味を示さない犬に対して、瞬時に興味を抱かすことが出来るフライイングディスクを提供するものである。【解決手段】  フライイングディスク１と、エサ収納部２とを一体とするように、エサ収納部２は、円盤型形状のフライイングディスク１の下面側の中心部が、下方へ円錐型形状に突出するように、プラスチック樹脂にてフライイングディスク１と、一体形成されて、そのエサ収納部２の上部に設けるフタ３は、納まったエサを犬が視覚認識できるように、透明なプラスチック樹脂にて形成され、さらに嗅覚においても認識させようと、匂いを発散するように複数個の匂い発散用の開口部４を設け、て、開閉自在のチョウバン８式でエサ収納部２の上部に設けた。【選択図】  図１。
2006034282.tif 000002
【特許請求の範囲】
【請求項１】
ペット動物等の遊具である円盤型形状に形成されて用いられているフライイングディスク等に設けて、その調教用に用いるペット動物調教用エサ収納容器であって、調教用のエサを収納する収納部と、そのフタとの一対から成るエサ収納容器をフライイングディスク等に設けたことを特長とするペット動物調教用エサ収納容器。
【請求項２】
エサ収納容器の設置場所が、フライイングディスクの中心部で、その上面、又は下面側に突出するように設けて、さらにエサ収納部の内部形状は、底部の中心部が下方に突出した円錐型形状に形成されている請求項１記載のペット動物調教用エサ収納容器。
【請求項３】
フタは、エサ収納容器に納まったエサ等を犬が視覚において認識することが出来るようにと、透明な材質にて製作されて内部を透視することが可能で、さらに、嗅覚においても認識できるように、フタに、エサ等の匂いを発散する複数個の開口部を設けた請求項１又は２記載のペット動物調教用エサ収納容器。
【請求項４】
エサ収納部は、下方に突出した底部の中心部に開口部を設け、既存のフライイングディスクの面の中心に設置する場合に、中心位置を確認することが出来き、中心への設置を容易にした中心部確認用の開口部を設けた請求項１、２又は３記載のペット動物調教用エサ収納容器。
【発明の詳細な説明】
【技術分野】
【０００１】  この発明は、主として通称フリスビーとも呼ばれているフライイングディスクに関するもので、円盤型形状に形成された空中に飛ばす遊具に関するものである。
【背景技術】
【０００２】  フライイングディスク、空中に投げて犬に追わせ、空中においてキャッチさせる競技として世界的に大会等も数多く行なわれている。又、子供の遊び用具としても用いられている。
【発明の開示】
【発明が解決しょうとする課題】
【０００３】  本発明は、犬専用に開発するもので、フライイングディスクを初めて使用する場合、犬に追わせる以前の問題として、フライイングディスクに全く興味を示さない犬も数多くいて、いかにして興味を抱かすか訓練に忍耐をともなう。
【発明を解決するための手段】
【０００４】  そこで、犬に早くフライイングディスクに興味を抱かす方法として、多くの愛犬家が行なう方法として、フライイングディスクを逆さにして食器代わりとし繰り返し用いると、犬はフライイングディスク、イコールエサと認識して興味を示しすようになり、フライイングディスクを手にすると離れなくなる。
そのことから、フライイングディスクの中心部にドックフード数個入る程度の、エサ収納部とフタとの一対から成る調教用エサ収納容器を設け、そのフタは透明として、さらに、フタに匂いを発散する開口部を設けて、犬に見せつけるように好物のエサとなるドックフード、又は、好きな匂いを発散するエサ等を入れると、その時点で、視覚及び嗅覚にてドックフード等のエサを認識して離れなくなり、フライイングディスク、イコールエサと認識するようになり、瞬時にしてフライイングディスクに興味を抱かせることができる。
【０００５】  調教用エサ収納容器の設置場所及び形状は、物体に作用する遠心力は、中心部に近づくにつれ弱まり中心においては、ゼロになるという理論により、エサ収納部の内部形状は、投入されたエサが、自然に遠心力が弱まる中心部へ集まるようにと、スリ鉢型のような、内部底部の中心が下方に突出した円錐型形状に形成して、フライイングディスクの中央部下面側に下方に突出するように設けて、飛行バランスをできるだけ損なわないようにした。
【０００６】  又、調教用エサ収納容器のみ製作して、既存のフライイングディスクの上面側中心部に、調教用エサ収納容器を、両面テープ等で貼り付けるようにして設けることも可能で、その場合に、中心部への設置方法を容易にするために、収納部の、底部の中央に中心位置確認用の開口部を設けることも出来る。
【０００７】  使用方法は、犬を前にして、フライイングディスクに設けたエサ収納容器のフタを開けて、犬によく見えるように好物のエサ等を、収納部に入れてフタを閉める。その時点で多くの犬は興味を示す。反応が悪い場合は、さらに犬の鼻先にフタを近づけるようにして興味を示させて、空中に投げると多くの犬が追いかけるようになり、持ち帰ると犬によく見えるようにして、フタを開けて好物のエサ等を取り出し犬に与えるようにする。
【発明の効果】
【０００８】  本発明によれば、食べ物に対して非常に貪欲な犬の習性を利用したもので、フライイングディスクに好物のエサが入っているのを、視力又は、嗅覚にて認識すれば、今迄、興味を示さなかった犬でも瞬時に興味を抱くようになる。
エサ収納部はスリ鉢型のように、底部の中央が下方に突出した円錐型形状に形成されているため、エサ収納部に投入されたエサは自然に遠心力の影響を受けにくいフライイングディスクの中心部へと、一点に集約されるように収納されるので、収納されたエサがフライイングディスクの飛行時のバランスを崩さない。
又、既存のフライイングディスクの中心部への設置方法においても、中心位置確認用の窓を設けたことにより、容易に行なえる。さらにフライイングディスク以外の様々な動物の遊具等に設けることも可能で、例えば動物園の動物の調教用としても使用可能である。
【発明を実施するための最良の形態】
【０００９】  以下、この発明の実施の形態を図面を参照して説明する。
図１・２に示すように、エサ収納部２は、円盤型形状に形成されたフライイングディスク１の下面側の中心部が、下方へ円錐型形状に突出するように、プラスチック樹脂にてフライイングディスク１と、一体形成されて、そのエサ収納部２の上部に設けるフタ３は、納まったエサを犬が視覚認識できるように、透明なプラスチック樹脂にて形成され、さらに嗅覚においても認識させようと、匂いを発散するように複数個の匂い発散用の開口部４を設け、て、開閉自在のチョウバン８式でエサ収納部２の上部に設けた。【００１０】  又、この発明の、他の実施の形態を図３・４を参照して説明する。
新たに新品を購入することなく、使用中の既存のフライイングディスクにも調教用エサ入れ容器９を設置することが出来るように、円錐型形状にて、やはりエサ収納部２の内部形状が、中心部の底部が下方に突出した円錐型形状になるように、樹脂成型されたエサ収納部２を設けて、その上部に、同じく透明なプラスチック樹脂で匂いを発散する複数個の開口部４を設けたフタを、開閉自のチョウバン８式で設けて、既存のフライイングディスク１の上面側中心部に両面テープ６等を用いて設けた。【００１１】  この場合、フライイングディスク１の中心部への設置方法を容易にするために、エサ収納部２の、底部の中央に中心位置確認用の開口部５を設けた。
【図面の簡単な説明】
【００１２】  図１は本発明の実施の形態を示す斜視図。図２は、その側面図。図３は、他の実施の形態を示す斜視図。図４は、その側面図。図５は、その平面図。
【符号の説明】
【００１３】  １，フライイングディスク  ２，円錐型形状のエサ収納部  ３，透明なフタ  ４，匂いを発散する開口部  ５，中心位置確認用の窓  ６，両面テープ  ７，本発明の調教用エサ入れ容器  ８，チョウバン  ９，他の実施形態の調教用エサ入れ容器  １０，エサ収納部に納まったエサ
【図１】
2006034282.tif 000003
【図２】
2006034282.tif 000004
【図３】
2006034282.tif 000005
【図４】
2006034282.tif 000006
【図５】
2006034282.tif 000007